【手続補正書】
【提出日】平成21年9月10日(2009.9.10)
【手続補正１】
【補正対象書類名】特許請求の範囲
【補正対象項目名】全文
【補正方法】変更
【補正の内容】
【特許請求の範囲】
【請求項１】
光軸に対して少なくとも１枚の回転対称な形状の回転対称レンズを保持する鏡筒部と、前記鏡筒部の一端に外接した少なくとも一面がアナモフィック面であるアナモフィックレンズと、前記アナモフィックレンズと前記鏡筒部とを勘合させ、それぞれの中心軸を合わせ、かつ前記中心軸を基準に相対回転し得る同軸度維持手段と、前記アナモフィックレンズを前記鏡筒部に押し当てる弾性部材と、を有する画像読取装置に用いられるレンズユニットの回転調整方法であって、
前記弾性部材によって前記アナモフィックレンズを前記鏡筒部に押し当てた状態で前記中心軸を基準として前記鏡筒部と前記アナモフィックレンズとの相対位置を回転調整することを特徴とするレンズユニットの回転調整方法。
【請求項２】
前記画像読取装置は、複数の画素が１次元方向に配列されており、該原稿の画像情報を読み取る光電変換素子を有し、
前記光電変換素子の複数の画素の配列方向と前記アナモフィックレンズの母線方向とを一致させた状態で前記鏡筒部を回転することにより、前記回転調整することを特徴とする請求項１に記載のレンズユニットの回転調整方法。
【請求項３】
原稿の画像情報を光電変換素子上に結像し、順次読取りを行う画像読取装置に用いられるレンズユニットであって、
該レンズユニットは光軸に対して少なくとも１枚の回転対称な形状の回転対称レンズを保持する鏡筒部と、該鏡筒部の一端に外接した少なくとも一面がアナモフィック面であるアナモフィックレンズと、該アナモフィックレンズと該鏡筒部とを勘合させ、それぞれの中心軸を合わせ、かつ同軸を基準に相対回転し得る同軸度維持手段と、該アナモフィックレンズを該鏡筒部に押し当てる弾性部材と、を有していることを特徴とするレンズユニット。
【請求項４】
前記弾性部材は、前記鏡筒部の外周に設けられた溝部に引っ掛ける２本又は３本の枝部を有していることを特徴とする請求項３に記載のレンズユニット。
【請求項５】
前記アナモフィックレンズは、外形が矩形形状より成り、該矩形形状の寸法の長い方で中心を通過する軸を長軸、これに直交し、中心を通過する軸を短軸とするとき、
前記２本又は３本の枝部のうち、１本が該長軸の片側にあり、残りが該長軸に対し、該片側の反対側にあることを特徴とする請求項４に記載のレンズユニット。
【請求項６】
前記アナモフィックレンズには、前記長軸の片側２ヶ所に、該長軸との平行度を調整する長軸方向維持手段が設けられていることを特徴とする請求項５に記載のレンズユニット。
【請求項７】
原稿台と、前記請求項３から６の何れか１項に記載のレンズユニットと、複数の画素を１次元方向に配列した光電変換素子とを有し、該原稿台に載置された原稿の画像情報を該光電変換素子で読み取ることを特徴とする画像読取装置。
【請求項８】
前記光電変換素子の複数の画素の配列方向と、前記アナモフィックレンズの母線方向とを一致させる手段を有していることを特徴とする請求項７に記載の画像読取装置。
【手続補正２】
【補正対象書類名】明細書
【補正対象項目名】０００３
【補正方法】変更
【補正の内容】
【０００３】
図７において、７２は原稿台（原稿台ガラス）であり、その面上に原稿７１が置かれている。７７はキャリッジであり、後述する照明系７３、反射ミラー７４ａ〜７４ｅ、結像レンズ（レンズユニット）７５、そして読取手段（ＣＣＤ）７６を一体的に収納している。キャリッジ７７はモータなどの副走査機構７８により図中の矢印方向（副走査方向）へ走査し、原稿７１の画像情報を読取っている。読取られた原稿７１の画像情報は図示しないインターフェイスを通じて外部機器であるパーソナルコンピューターなどに送られる。
【手続補正３】
【補正対象書類名】明細書
【補正対象項目名】００２５
【補正方法】変更
【補正の内容】
【００２５】
請求項１の発明のレンズユニットの回転調整方法は、
光軸に対して少なくとも１枚の回転対称な形状の回転対称レンズを保持する鏡筒部と、前記鏡筒部の一端に外接した少なくとも一面がアナモフィック面であるアナモフィックレンズと、前記アナモフィックレンズと前記鏡筒部とを勘合させ、それぞれの中心軸を合わせ、かつ前記中心軸を基準に相対回転し得る同軸度維持手段と、前記アナモフィックレンズを前記鏡筒部に押し当てる弾性部材と、を有する画像読取装置に用いられるレンズユニットの回転調整方法であって、
前記弾性部材によって前記アナモフィックレンズを前記鏡筒部に押し当てた状態で前記中心軸を基準として前記鏡筒部と前記アナモフィックレンズとの相対位置を回転調整することを特徴としている。
【手続補正４】
【補正対象書類名】明細書
【補正対象項目名】００２６
【補正方法】変更
【補正の内容】
【００２６】
請求項２の発明は請求項１の発明において、
前記画像読取装置は、複数の画素が１次元方向に配列されており、該原稿の画像情報を読み取る光電変換素子を有し、
前記光電変換素子の複数の画素の配列方向と前記アナモフィックレンズの母線方向とを一致させた状態で前記鏡筒部を回転することにより、前記回転調整することを特徴としている。
【手続補正５】
【補正対象書類名】明細書
【補正対象項目名】００２７
【補正方法】変更
【補正の内容】
【００２７】
請求項３の発明のレンズユニットは、
原稿の画像情報を光電変換素子上に結像し、順次読取りを行う画像読取装置に用いられるレンズユニットであって、
該レンズユニットは光軸に対して少なくとも１枚の回転対称な形状の回転対称レンズを保持する鏡筒部と、該鏡筒部の一端に外接した少なくとも一面がアナモフィック面であるアナモフィックレンズと、該アナモフィックレンズと該鏡筒部とを勘合させ、それぞれの中心軸を合わせ、かつ同軸を基準に相対回転し得る同軸度維持手段と、該アナモフィックレンズを該鏡筒部に押し当てる弾性部材と、を有していることを特徴としている。
【手続補正６】
【補正対象書類名】明細書
【補正対象項目名】００２８
【補正方法】変更
【補正の内容】
【００２８】
請求項４の発明は請求項３の発明において、
前記弾性部材は、前記鏡筒部の外周に設けられた溝部に引っ掛ける２本又は３本の枝部を有していることを特徴としている。
【手続補正７】
【補正対象書類名】明細書
【補正対象項目名】００２９
【補正方法】変更
【補正の内容】
【００２９】
請求項５の発明は請求項４の発明において、
前記アナモフィックレンズは、外形が矩形形状より成り、該矩形形状の寸法の長い方で中心を通過する軸を長軸、これに直交し、中心を通過する軸を短軸とするとき、
前記２本又は３本の枝部のうち、１本が該長軸の片側にあり、残りが該長軸に対し、該片側の反対側にあることを特徴としている。
【手続補正８】
【補正対象書類名】明細書
【補正対象項目名】００３０
【補正方法】変更
【補正の内容】
【００３０】
請求項６の発明は請求項５の発明において、
前記アナモフィックレンズには、前記長軸の片側２ヶ所に、該長軸との平行度を調整する長軸方向維持手段が設けられていることを特徴としている。
請求項７の発明の画像読取装置は、
原稿台と、前記請求項３から６の何れか１項に記載のレンズユニットと、複数の画素を１次元方向に配列した光電変換素子とを有し、該原稿台に載置された原稿の画像情報を該光電変換素子で読み取ることを特徴としている。
請求項８の発明は請求項７の発明において、
前記光電変換素子の複数の画素の配列方向と、前記アナモフィックレンズの母線方向とを一致させる手段を有していることを特徴とする請求項７に記載の画像読取装置。
【手続補正９】
【補正対象書類名】明細書
【補正対象項目名】００３６
【補正方法】変更
【補正の内容】
【００３６】
１２ａは同軸度維持手段としてのピンであり、アナモフィックレンズ１２と鏡筒部１１を勘合させ、それぞれの中心軸を合わせ、かつ同軸を基準に互いに相対位置を回転調整できるように相対回転させている。本実施例ではこのピン１２ａを４本用いている。
【手続補正１０】
【補正対象書類名】明細書
【補正対象項目名】００５７
【補正方法】変更
【補正の内容】
【００５７】
本実施例における画像読取装置には位置合わせ手段１４がレンズユニット１０の図面上、左右方向２ヶ所に設けられている。この位置合わせ手段１４がアナモフィックレンズ１２の長軸１２ｃの片側２ヶ所に設けた長軸方向維持手段１２ｂと接触することで、複数の画素が１次元方向に配列された１次元光電変換素子（不図示）の複数の画素の配列方向とアナモフィックレンズ１２の長軸方向（母線方向）１２ｃとを一致させることができる。これにより本実施例では鮮明なる画像情報を得ることができる。